(57)【要約】【課題】シャープペンシルの芯折れ事故の最大原因は芯の出し過ぎにあり、更にこの事態を招来する要因は、芯を保持する鞘が保持具に固定されていたため、芯が無制限に繰り出されるからである。    本発明が解決すべき課題として、鞘が不動状態にある点を提起する。【解決手段】抜け落ち防止用の突起を設けた鞘を、保持具内で滑動できるように保持し、芯をこの中を通して供給し筆記する。    このようにすると紙面に対する筆角、筆圧、書き癖による応力の効果で、筆記作業をすること自体によって鞘の位置が決定され、相対的に必要最低限の芯出し量が自動的に調整維持されるから、芯の出し過ぎによる芯折れ事故を生じない。【選択図】図５
2006347142.tif 000002
【特許請求の範囲】
【請求項１】
芯を保持する鞘を軸方向に滑動可能に構成したシャープペンシルの芯折れ防止機構。
【発明の詳細な説明】
【技術分野】
【０００１】本発明は芯折れ事故を防止し、併せて最適な芯の突出量を自動的に自己補正できるシャープペンシルの芯折れ防止機構に関するものである。
【背景技術】
【０００２】シャープペンシルの基本構造上、芯折れ事故は従来避け難い事であり、これが最適芯繰り出し量調整の煩雑さ、それに伴う芯繰り出し回数の増加を招き、信頼性を低下させる原因となっていた。
【発明が解決しようとする課題】
【０００３】図１、図２、図３はシャープペンシル先端部構造の軸方向断面拡大図である。    ノック式、スクリュー式双方共、芯１は鞘２の内部を貫通して繰り出される構造である。    鞘２は保持具３に強固に固定され、保持具３は胴体４に脱着可能状態に、軸を同軸状に螺着されている。
従来品のシャープペンシルを使用する場合、次のような不具合が常識的に認められる。
（ア）  芯を交換した直後の芯の突出量の設定が難しく、感に頼らざるを得ない。
（イ）  図１に示した如く芯１の突出量が長い場合、非常に折れやすくなる。
（ウ）  一般に芯の濃いほど、細いほど折れやすく、芯の物理的特性に大きく左右される。
（エ）  図２の芯突出量が使用上最適値と想定した場合、この状態から図３の使用限界状態に至るまでの使用可能範囲が狭い。
（オ）  筆記中、芯の繰り出し頻度が多くならざるを得ない。
以上のような不具合を生じた理由は、図１において、芯１と鞘２が双方共固定されていたからである。    芯１と鞘２が相互に固定されていると、芯１が磨耗して行く過程で、書きやすい最適突出量を長時間保持させる事が物理的に困難であり、これは従来のシャープペンシルの基本的構造に起因する不可避的問題である。    またこのため、最適突出量になるように初期設定するのに目分量に頼らざるを得ず、個人的な筆圧、筆角、書き癖によっても左右され、芯出し量が長すぎると芯折れ事故の最大の原因となる。    従って本発明では、当該芯と鞘とが強固に固定され、相対的に不動である点を解決課題として提起する。
【課題を解決するための手段】
【０００４】上述の（ア）（イ）（ウ）（エ）（オ）各項の不具合を解決する手段は、保持具と鞘を強固に結合せず、保持具内を鞘が軸方向に滑動できる構造にすれば良い。    図４、図５、図６はこの手段を用いたシャープペンシル先端部の構成とその動作説明図である。    図４に示す如く、本発明のシャープペンシルは従来と同様に、胴体４と同軸状に羅着された保持具３中心軸から鞘２が突出され、芯１は鞘２を貫通して繰り出される構成である。    従って外観上は従来品と全く同様である。    しかし、本発明品が従来品と異なる点は、鞘２は保持具３に固定されておらず、保持具３内径部を芯１軸方向に自由に滑動できる事である。    鞘２端部には突起５を設け、鞘２が保持具３から脱落しないよう配慮してあり、併せて突起５が鞘２の滑動運動を阻害しないよう、当該突起部が接触する位置の保持具３内径部を部分的に径方向及び軸方向に拡張してある。従って鞘２は軸方向に拡張された空隙部内に限り、芯１の位置に無関係に自由に軸方向に滑動できることになる。    この構成によるシャープペンシルは、芯１交換後の新規芯出しに際し、鞘２先端を机上面等の硬い物体に当たる状態にして芯１を繰り出すと、鞘２は芯１との摩擦力で滑動され、芯１と連動し相互の摩擦力で鞘２も同時に繰り出される。    鞘２先端が硬い物体の面に当たると、鞘２の進行は停止され、図４に示すように、芯１は鞘２先端から突出していないか、あるいは僅かに突出している状態になる。    いずれにしてもこの場合、芯１の突出量は厳密でなくても実用上の問題は生じない。    芯１をこの状態にして筆記を開始する。    本発明のシャープペンシルが従来製品と最も異なる動作をする点は、鞘２が動く事である。    鞘２先端が紙面に接触した時、鞘２が保持具３の中に押し込まれるような方向に、個人的な筆圧、筆角、書き癖および紙面の状態に起因する一定の力が発生する結果、鞘２が後退して鞘２から突出する芯１の量が、筆記の状態に応じて自動的に補正されるのである。    また上記の力は鞘２の肉厚、紙質によっても多少変化する。    鞘２の移動が滑らかであれば、このようにしても実際の筆記作業に影響を及ぼす事はない。    図７、図８は上記の機構を示した動作説明図である。    図７は紙面に対するペン先角度が大きい場合、図８は少ない場合を模式的に現したものである。図７に於いて、芯１は保持具３を介して胴体に固定されており、紙面に押し付けられ消耗して行く。    この過程で鞘２の先端は、ペン先角度等の筆記条件で定まる筆記中の紙面圧力に応じて、筆記する行為自体によって保持具３の中に時々刻々自動的に繰り込まれる。    この繰り込み量は特に筆記角度と鞘２の肉厚に大きく影響され、図７のように角度が大きいほど繰り込み量が少なく、芯１の突出量は少ない。    逆に図８の如く角度が少ない時は、鞘２の繰り込み量が大きく、相対的に芯１の突出量は大きくなる。    鞘２の移動動作はこの場合保持具３に繰り込まれる一方向動作であるが、鞘２のみが単独で動く挙動は行わず、芯１と連携して動作するため、芯１と鞘２との摩擦力で鞘２の位置は安定に把握され、不具合は生じない。    必要ならば保持具３と鞘２を弱いコイルバネを介して結合させる事も出来る。    いずれにしても、本方式では常識的にどのような筆記角度を採ったとしても、鞘２からの芯１の突出量は、芯折れの危険を生じるような長さには成り得ないのであって、これが本発明の最大特徴である。    このため細い芯でも、軟らかい芯でも折れる心配がない。    また前述の図４に於ける初期芯出し操作以後、無調整で芯出し量が自動補正される期間が従来品に比べ遥かに長い。    図５、図６は当該使用可能期間の起因に関する説明図である。    図５は図４で説明したように新規芯出し後、上述の操作によって芯１の相対的突出量が、筆記中に逐次自動補正される初期段階の状態を示した図であって、鞘２の突起５は保持具３の移動可能空隙内前方先端に位置しており、芯１の磨耗に連れて鞘２は保持具３の中に繰り込まれて行き、図６の如く突起５が胴体４に接触して移動不能になった時点で筆記可能期間を終わる。    この様に、芯出し一回当たりの筆記可能期間は、鞘２の移動可能距離で決定されるので、筆記可能芯出し量を維持出来る期間は、常識的に数倍以上、或は一桁以上に達する。    従って面倒な芯１の繰り出し操作を激減する事ができる。    従来品使用上、最も頻繁かつ煩雑な作業はこの芯出し操作であるから、本発明によって得られる利益は非常に大きい。
【発明の効果】
【０００５】鞘を可動にする構成の本発明の手段により次の効果が得られた。    即ち本発明は従来のように筆記に先立って、芯の突出量をその都度設定するのではなく、筆記する事によって芯の突出量が自動的に決まるのであって、観念的に従来と全く逆である。    このため芯は必要最小限しか突出しない、と言うよりは突出できないのである。    このように常に芯の大部分が強靭な鞘の中に保護されているため、極めて細く軟らかい芯を用いても折れる心配が無い。    芯出し量が筆記中に自動補正される機能により。一回ごとの芯出し操作で長期の最適使用期間が得られ、面倒かつ煩雑な芯の繰り出し操作を頻繁におこなう手間が省ける。    外観は従来品と全く同一に構成でき、僅かな構造変更で上述の如き性能上の大きな利益を得られる。
【発明を実施するための最良の形態】
【０００６】図５を発明を実施するための最良の形態と定める。
【実施例】
【０００７】図５に示す通り、保持具３の中を軸方向に滑動できるよう、保持具３中心軸から鞘２を突出させ、鞘２の中を芯１が貫通する構成とする。    この場合芯１の繰り出し方式、即ちノック式、スクリュー式等には無関係に構成できる。
【産業上の利用可能性】
【０００８】本発明は利用分野が確定しているため説明を省略する。
【図面の簡単な説明】
【０００９】図１：芯の突出量が長すぎる時の、従来品先端部軸方向断面図；動作説明図。
図２：芯の突出量が最適な場合の、従来品先端部軸方向断面図；動作説明図。
図３：芯が消耗して使用不能になった時の、従来品先端部軸方向断面図；動作説明図。
図４：初期芯出し設定時の、本発明による製品先端部軸方向断面図；動作説明図；構造図。
図５：最適芯出し量になった時の、本発明製品先端部軸方向断面図；動作説明図。
図６：芯が消耗して使用限界に達した時の、本発明製品先端部軸方向断面図；動作説明図。
図７：筆角が大きい場合の、芯の突出量と鞘の繰り込み量の関係を示す動作説明図。
図８；筆角が小さい場合の、芯の突出量と鞘の繰り込み量の関係を示す動作説明図。
【符号の説明】
【００１０】１：芯      ２：鞘      ３：保持具      ４：胴体      ５：突起      ６：紙面
【図１】
2006347142.tif 000003
【図２】
2006347142.tif 000004
【図３】
2006347142.tif 000005
【図４】
2006347142.tif 000006
【図５】
2006347142.tif 000007
【図６】
2006347142.tif 000008
【図７】
2006347142.tif 000009
【図８】
2006347142.tif 000010